(57)【要約】【課題】陽電子放出断層撮影の改善された実施を可能にする。【解決手段】検査対象（１０２）へのＰＥＴトレーサの導入後に、検査対象（１０２）の陽電子放出断層撮影を実施する方法（１）が、Ｓ１）、少なくとも１つの機能的磁気共鳴断層撮影を実施して、少なくとも１つの設定可能な脳領域（１０４）の活性化の少なくとも１つの尺度を決定する方法ステップ、Ｓ２）陽電子放出断層撮影を実施する方法ステップ、Ｓ３）少なくとも１つの設定可能な脳領域（１０４）の活性化の少なくとも１つの尺度に応じて、陽電子放出断層撮影の結果を調整する方法ステップ。を含む。【選択図】図２
2014142342.tif 000002
【特許請求の範囲】
【請求項１】
検査対象（１０２）へのＰＥＴトレーサの導入後に、検査対象（１０２）の陽電子放出断層撮影を実施する方法（１）が、
Ｓ１）少なくとも１つの機能的磁気共鳴断層撮影を実施して、少なくとも１つの設定可能な脳領域（１０４）の活性化の少なくとも１つの尺度を決定する方法ステップ、
Ｓ２）陽電子放出断層撮影を実施する方法ステップ、
Ｓ３）少なくとも１つの設定可能な脳領域（１０４）の活性化の少なくとも１つの尺度に応じて、陽電子放出断層撮影の結果を調整する方法ステップ、
を含む、陽電子放出断層撮影を実施する方法（１）。
【請求項２】
脳領域（１０４）の活性化の少なくとも１つの尺度の決定が、機能的磁気共鳴断層撮影によって繰り返して実施され、または、方法ステップＳ１〜Ｓ３が繰り返して実行され、繰返し速度はそれぞれ設定可能である請求項１記載の方法（１）。
【請求項３】
機能的磁気共鳴断層撮影による脳領域（１０４）の活性化の少なくとも１つの尺度の繰り返しの決定が、少なくともＰＥＴトレーサの集積期間にわたって行われることを特徴とする請求項２記載の方法（１）。
【請求項４】
設定可能な脳領域（１０４）が、デフォルトモードネットワークの脳領域（１０４）および／またはタスクポジティブネットワークの脳領域（１０４）によって決定されている請求項１乃至３の１つに記載の方法（１）。
【請求項５】
設定可能な脳領域（１０４）が、デフォルトモードネットワークの脳領域（１０４）とタスクポジティブネットワークの脳領域（１０４）とによって決定され、陽電子放出断層撮影の結果の調整が、デフォルトモードネットワークとタスクポジティブネットワークとの活性化分布（２２，２４）の尺度の割合に関係して決定されている請求項１乃至４の１つに記載の方法（１）。
【請求項６】
それぞれ少なくとも１つの設定可能な脳領域（１０４）の活性化の少なくとも１つの尺度のうちの１つの尺度が設定可能な公差範囲外にある場合に、警報が出力される請求項１乃至５の１つに記載の方法（１）。
【請求項７】
陽電子放出断層撮影の結果の調整に、それぞれ少なくとも１つの設定可能な脳領域（１０４）の活性化の少なくとも１つの尺度が設定可能な閾値を上回っている時間が用いられる請求項１乃至６の１つに記載の方法（１）。
【請求項８】
脳領域（１０４）の活性化の少なくとも１つの尺度の決定後に、その少なくとも１つの尺度が活性化閾値と比較され、脳領域（１０４）の活性化の少なくとも１つの尺度がその活性化閾値よりも大きい場合に、設定可能な動作、特に音響信号および／または光信号および／または触覚信号の出力が実行される請求項２乃至７の１つに記載の方法（１）。
【請求項９】
陽電子放出断層撮影の結果の調整に、検査対象（１０２）内でのＰＥＴトレーサの集積（３０）の時間的推移が用いられる請求項１乃至８の１つに記載の方法（１）。
【請求項１０】
検査対象（１０２）内でのＰＥＴトレーサの集積（３０）の時間的推移が設定可能な飽和関数により近似される、またはＰＥＴ−ＭＲＴ複合装置による測定によって求められる請求項９記載の方法（１）。
【請求項１１】
それぞれ少なくとも１つの設定可能な脳領域（１０４）の活性化の少なくとも１つの尺度の決定に、ＰＥＴ−ＭＲＴ複合装置のＰＥＴ部分によるＰＥＴトレーサの集積（３０）の測定により求められかつＰＥＴ−ＭＲＴ複合装置のＭＲＴ部分により得られたＭＲＴ画像に伝達される脳のセグメンテーションが用いられる請求項１乃至１０の１つに記載の方法（１）。
【請求項１２】
それぞれ少なくとも１つの設定可能な脳領域（１０４）の活性化の少なくとも１つの尺度の決定に、脳地図が用いられる請求項１乃至１１の１つに記載の方法（１）。
【請求項１３】
陽電子放出断層撮影装置と、ＭＲＴ装置と、計算および制御ユニット（１２０）とを備え、
ＭＲＴ装置は、検査対象（１０２）へのＰＥＴトレーサの導入後に、少なくとも１つの機能的磁気共鳴断層撮影を実施し、それぞれ少なくとも１つの設定可能な脳領域（１０４）の活性化の少なくとも１つの尺度を決定してその少なくとも１つの尺度を計算および制御ユニット（１２０）に提供するように構成され、
陽電子放出断層撮影装置は、検査対象（１０２）の陽電子放出断層撮影を実施し、その結果を計算および制御ユニット（１２０）に提供するように構成され、
計算および制御ユニット（１２０）は、少なくとも１つの設定可能な脳領域（１０４）の活性化の少なくとも１つの尺度に関係して検査対象（１０２）の陽電子放出断層撮影の結果を調整するように構成されている
検査対象（１０２）の陽電子放出断層撮影を実施する装置（１００）。
【請求項１４】
装置が請求項２乃至１０の１つに記載の方法（１）を実施するように構成されている請求項１３記載の装置（１００）。
【請求項１５】
陽電子放出断層撮影装置およびＭＲＴ装置がＰＥＴ−ＭＲＴ複合装置に組み合わされ、ＰＥＴ−ＭＲＴ複合装置および計算および制御ユニット（１２０）が請求項１１乃至１２の１つに記載の方法（１）を実施するように設計されている請求項１４記載の装置（１００）。
【発明の詳細な説明】
【技術分野】
【０００１】
本発明は、陽電子放出断層撮影を実施する方法に関する。更に、本発明は陽電子放出断層撮影を実施する装置に関する。
【背景技術】
【０００２】
神経疾患および精神疾患の検査および診断において、磁気共鳴断層撮影法（ＭＲＴ）および陽電子放出断層撮影法（ＰＥＴ）なる両イメージング法は、理想的な方法で相互補完する。陽電子放出断層撮影法では、多数のトレーサまたはＰＥＴトレーサ、つまり生物の物質代謝でもたらされ得る大抵は放射標識された体内または体外物質を使用することができ、これらの物質は、例えば神経伝達物質のための受容体に非常に特異的に結合し、高感度で検出できる。磁気共鳴断層撮影法は、高い時間分解能および空間分解能ならびに生物の解剖学的構造の描出可能性を提供する。例えばＰＥＴを用いた受容体結合の観察が知られている。そのために神経伝達物質と類似の結合特性を示すＰＥＴトレーサが患者に投与される。ＰＥＴトレーサは、自然の配位子と既に結合していなければ受容体と結合する。従って、このようなトレーサは、受容体密度および受容体占有率に関する検証を可能にする。ただ欠点は遅い反応速度である。ＰＥＴ信号は、一般に２０〜３０分という時間もしくは「インキュベーション時間」にわたって集積の積分を有効に描出する。従って、一般には患者にトレーサまたは放射性トレーサが注射された後に、その時間が経過するのを待って、最初の画像が生成される。しかし、多くのＰＥＴトレーサの場合、その集積は、集積段階中での患者の状態に関係する。従って、古典的なグルコース（ＦＯＧ）ＰＥＴに関しては、トレーサ注射後に患者が開眼していたかまたは閉眼していたかに関係して異なる分布が生じる。同様のことが身体活動ついても当てはまる。視覚中枢または運動中枢のような活動中の脳領域において強められた物質代謝に起因して、強められた集積が生じる。これは、精神疾患および若干の神経疾患の検査および診断をする際に問題となる。例えばうつ状態の場合には、例えば前頭前皮質外側吻側部において、内省、即ち自己との取り組みに関連している神経回路網の活性化に変化が現れる。しかし、患者がトレーサ集積中に特殊な状態、例えば深い緊張緩和状態、睡眠状態にある場合、または計算問題を解く場合には、歪められた結果が生じる。しかるに患者の状態に影響を及ぼすことは非常にむずかしい。何故ならば、患者自身でさえも、この場合に限定的にしか意図的な影響を受け入れることができないからである。これに対して、機能的磁気共鳴断層撮影法（ｆＭＲＴ）は、改善された時間分解能を持ち、僅かな、例えば１０秒の範囲内の分解能で活性化の変化を描出することができる。ただし、機能的磁気共鳴断層撮影法の場合には、非常に特異的ではない血液中の酸素使用の変化、所謂ＢＯＬＤ効果またはＢＯＬＤコントラストの変化しか測定されない（ＢＯＬＤ＝blood oxygen level dependent、「血液酸素レベル関係性」）。
【発明の概要】
【発明が解決しようとする課題】
【０００３】
本発明の課題は、陽電子放出断層撮影の改善された実施を可能にする方法を提供することにある。更に、本発明の課題は、そのような方法を実施する装置を提供することにある。
【課題を解決するための手段】
【０００４】
本発明は、この課題を、第１の独立請求項の特徴事項を有する陽電子放出断層撮影を実施する方法ならびに第２の独立請求項の特徴事項を有する陽電子放出断層撮影を実施する装置により解決する。
【０００５】
本発明の基本的着想は、検査対象の陽電子放出断層撮影を実施する方法において、検査対象へのＰＥＴトレーサの導入後に、この方法が次の方法ステップを含むことにある。
Ｓ１）少なくとも１つの機能的磁気共鳴断層撮影を実施して、少なくとも１つの予め与えられた脳領域の活性化の少なくとも１つの尺度を決定する方法ステップ、
Ｓ２）陽電子放出断層撮影を実施する方法ステップ、
Ｓ３）少なくとも１つの予め与えられた脳領域の活性化の少なくとも１つの尺度に応じて陽電子放出断層撮影の結果を調整する方法ステップ。
【０００６】
従って、検査対象の陽電子放出断層撮影を実施する本発明による方法のこの基本的着想は、検査対象、例えば人間または動物の患者にＰＥＴトレーサが、例えば注射または吸入によって導入されていることから出発する。ＰＥＴトレーサまたは放射性薬剤とは、一般に放射標識された少量の物質であると理解される。有機体であるその放射標識された物質は生物内に導入され、その生体内で非放射性対応物と区別できないことから、物質代謝に関与する。時間の経過にともなって、ＰＥＴトレーサは、そのキャリア物質および有機体に関係して特有の領域内に集積し、放射性崩壊によって陽電子放出断層撮影装置により検出することができる。ＰＥＴトレーサは、臨床的かつ学問的な実践において種々の使用分野に関する種々の解説でよく知られている。
【０００７】
第１の方法ステップにおいては、それぞれ少なくとも１つの設定可能な脳領域を決定するために、少なくとも１つの機能的磁気共鳴断層撮影が実施される。それにより、トレーサの投与後の検査対象の状態を決定し、特に、種々の神経伝達物質により機能する種々の神経回路網を識別することができる。
【０００８】
第２の方法ステップにおいては、陽電子放出断層撮影が実施される。ここでは陽電子放出断層撮影の特性、特に受容体に特異結合するトレーサの高い検出感度を有利に使用することができる。陽電子放出断層撮影の結果は、有機体内の放射性薬剤の分布を可視化する、即ち生化学的かつ生理学的な機能を可視化する再構成断層画像である。
【０００９】
本発明による方法のこの基本的着想の最後の第３の方法ステップにおいては、陽電子放出断層撮影の結果が少なくとも１つの設定可能な脳領域の活性化の少なくとも１つの尺度に関係して調整される。その結果の調整は、第1の方法ステップにおいて予め設定された脳領域の活性化の尺度が設定可能な閾値を上回っている場合に、例えばその結果値を低減させることによって行うことができる。調整の種類および尺度、脳領域の選択および閾値は、例えば一連の測定または前段階調査によって前もって求めることができる。
【００１０】
脳領域の活性化の少なくとも１つの決定が機能的磁気共鳴断層撮影によって繰り返し実施されると有利であり、その際に繰返し速度は設定可能である。あるいは、方法ステップＳ１〜Ｓ３が繰り返し実行され、その際に繰返し速度は設定可能である。
【００１１】
それぞれ少なくとも１つの脳領域の活性化の少なくとも１つの尺度の決定が繰り返される際に、時間的推移としての一連の活性化値が得られる。即ち、トレーサの集積中に患者の起こり得る状態変化を認識し、少なくとも１つの設定可能な脳領域の活性化の少なくとも１つの尺度に関係して陽電子放出断層撮影の結果を調整する際に、それらの認識した状態変化を有利に考慮することができる。活性化の特定の尺度が設定可能な閾値に到達するまでの間は第１の方法ステップを繰り返し実行し、その閾値に到達した際にはじめて第２の方法ステップへ分岐することも考えられ得る。
【００１２】
本発明の好ましい実施形態では、機能的磁気共鳴断層撮影による脳領域の活性化の少なくとも１つの尺度の繰返しの決定が、少なくともＰＥＴトレーサの集積期間にわたって行われる。
【００１３】
従って、この実施形態では、脳領域活性化の測定および場合によって陽電子放出断層撮影の繰り返しの実施および結果の調整が、少なくともＰＥＴトレーサの集積段階にわたって行われる。
【００１４】
有利な実施形態では、設定可能な脳領域がデフォルトモードネットワークの脳領域および／またはタスクポジティブネットワークの脳領域によって決定されている。
【００１５】
デフォルトモードネットワーク（ＤＭＮ）、タスクネガティブネットワーク（ＴＮＮ）、「意識ネットワーク」または「安静状態ネットワーク」は、神経科学では一般に、「何もしていない」のときに活性化され、例えば集中的思考作業のときには活性化されない脳領域のグループであると理解されている。この脳領域の安静時活動は、例えば機能的磁気共鳴断層撮影法、脳波検査法および脳磁図検査法により検出することができる。これらの脳領域の活動の相関関係によって、同期して活動する脳領域のグループをネットワークとして把握することができる。これに関与する脳領域には、内側前頭前皮質、楔前部、帯状皮質の一部が属するが、頭頂葉の上頭頂小葉および海馬も属する。デフォルトモードネットワークは、人間が例えば空想にふけっている場合にも活性であることを前提とする。種々の神経および精神の疾患、例えばアルツハイマー病の場合には、デフォルトモードネットワークが変化し得る。例えば問題解決時に、タスクネガティブネットワーク（ＴＮＮ）が活性化されていないのに対して、タスクポジティブネットワーク（ＴＰＮ）は活性化されている。ＴＮＮおよびＴＰＮは負の相関関係にて活動する１つのネットワークの構成要素であるという解釈もある。それゆえ、デフォルトモードネットワークの脳領域および／またはタスクポジティブネットワークの脳領域は、検査対象の状態を監視するのに好ましい脳領域である。
【００１６】
本発明の他の有利な実施形態では、設定可能な脳領域が、デフォルトモードネットワークの脳領域とタスクポジティブネットワークの脳領域とによって決定されていて、陽電子放出断層撮影の結果の調整が、デフォルトモードネットワークとタスクポジティブネットワークとの活動分布の尺度の割合に関係して決定されている。
【００１７】
従って、この実施形態では、その都度、デフォルトモードネットワークの活動が優勢である時間と、タスクポジティブネットワークの活動が優勢である時間とが確定される。それから陽電子放出断層撮影の結果が前記の比に関係して調整される。例えばタスクポジティブネットワークの活動が優勢である際には、陽電子放出断層撮影の結果は拒否され、即ち、例えば０を掛算される。
【００１８】
本発明の代替の実施形態では、それぞれ少なくとも１つの設定可能な脳領域の活性化の少なくとも１つの尺度のうちの１つの尺度が設定可能な公差範囲外にある場合に、警報が出力される。
【００１９】
この実施形態では、例えば公差範囲が使用者によって設定され、例えばタスクポジティブネットワークの活動に対して公差範囲が設定されている。設定可能な脳領域、例えばタスクポジティブネットワークの活動を描出する脳領域の活性化の少なくとも１つの尺度の決定に基づいて、その尺度が予め設定された公差範囲外にあるかどうかがチェックされる。これがそうである場合には、使用者に対して検査対象が陽電子放出断層撮影の正しい結果にとって必要である状態にないことを指摘するために、例えばコンピュータモニタ上でのテキストとして警報が出力される。
【００２０】
他の有利な実施形態では、それぞれ少なくとも１つの設定可能な脳領域の活性化の少なくとも１つの尺度が設定可能な閾値を上回っている時間が、陽電子放出断層撮影の結果の調整に用いられる。
【００２１】
望まれない脳領域の短時間だけの活性化は、場合によっては無視され、これに対して、陽電子放出断層撮影の決定にとって望ましくない、比較的長い時間にわたる検査対象の状態は、その結果を使用不可にするとよい。
【００２２】
脳領域の活性化の少なくとも１つの尺度の決定後に、その少なくとも１つの尺度が活性化閾値と比較され、脳領域の活性化の少なくとも１つの尺度がその活性化閾値よりも大きい場合には、設定可能な動作、特に音響信号および／または光信号および／または触覚信号の出力が行われると有利であることが分かった。
【００２３】
例えばデフォルトモードネットワークを描出する脳領域の活性化を監視することによって、患者が眠り込んでいることを確認したならば、音響信号、光信号または触覚信号のグループからの１つの信号によって、患者を目覚めた状態に戻すことができる。音響信号は目覚まし音の鳴り響き、光信号はランプの点灯、触覚信号は、例えば患者の一方の足への発泡材ハンマーの突き当てであってよい。
【００２４】
検査対象内でのＰＥＴトレーサの集積の時間的推移が、陽電子放出断層撮影の結果の調整に用いられるとよい。
【００２５】
集積の時間的推移は一様でないので、個々の段階の期間中の寄与が相応に重み付けされるとよい。そのために、前段階において試験測定により求められた反応速度特性が、例えば較正曲線を介して、受入れられるとよい。
【００２６】
検査対象内でのＰＥＴトレーサの集積の時間的推移が設定可能な飽和関数により近似される、またはＰＥＴ−ＭＲＴ複合装置による測定によって検出されることが考えられ得る。
【００２７】
検査対象内でのＰＥＴトレーサの集積は、例えば、対数関数の如き数学的モデルによって記述できる飽和速度特性に従い得る。代替として、ＭＲ−ＰＥＴ複合装置によりＰＥＴ内での集積の時間的推移を求めることによって、集積を測定することができる。
【００２８】
ＰＥＴ−ＭＲＴ複合装置のＰＥＴ部分によるＰＥＴトレーサの集積の測定により求められて、ＰＥＴ−ＭＲＴ複合装置のＭＲＴ部分により得られたＭＲＴ画像に伝達される脳のセグメンテーションが、それぞれ少なくとも１つの設定可能な脳領域の活性化の少なくとも１つの尺度の決定に用いられると好ましい。
【００２９】
それらのネットワークを特に自動的に監視するためには、該当脳領域のセグメンテーションが必要である。ＭＲ−ＰＥＴ複合装置をうまく使用すると、ＰＥＴ集積に基づいてセグメンテーション行ってＭＲ画像に伝達することができる。これは、ＰＥＴにおいてこれらの脳領域がトレーサに応じて非常に特異な集積を示し、簡単に設定可能な閾値によりセグメント化できることから有利である。
【００３０】
それぞれ少なくとも１つの設定可能な脳領域の活性化の少なくとも１つの尺度の決定に脳地図が用いられると格別に有利である。
【００３１】
代替として、地図とのレジストレーションにより脳領域を決定することもできる。セグメンテーションアルゴリズムは、それ自体公知の医用画像処理方法であり、それらに対して学術文献において種々の実現化の提案がなされている。
【００３２】
本発明の他の基本的着想は、検査対象の陽電子放出断層撮影を実施する装置にある。この装置は、陽電子放出断層撮影装置と、ＭＲＴ装置と、計算および制御ユニットとを含む。ＭＲＴ装置は、検査対象へのＰＥＴトレーサの導入後に、少なくとも１つの機能的磁気共鳴断層撮影を実施し、それぞれ少なくとも１つの設定可能な脳領域の活性化の少なくとも１つの尺度を決定してその少なくとも１つの尺度を計算および制御ユニットに提供するように構成されている。陽電子放出断層撮影装置は、検査対象の陽電子放出断層撮影を実施しその結果を計算および制御ユニットに提供するように構成されている。計算および制御ユニットは、少なくとも１つの設定可能な脳領域の活性化の少なくとも１つの尺度に関係して検査対象の陽電子放出断層撮影の結果を調整させるように設計されている。
【００３３】
計算および制御ユニットは、例えばコンピュータとして実施されているか、またはそれらの機能が陽電子放出断層撮影装置もしくはＭＲＴ装置に組み込まれているとよい。計算および制御ユニットは、陽電子放出断層撮影装置およびＭＲＴ装置に対するデータインターフェースを装備するとよく、それによってデータ、特に画像データをこれらの装置から計算および制御ユニットに導入することができる。更に、計算および制御ユニットは、所定の機能を実行する相応のコンピュータプログラムを持つことによって、少なくとも１つの設定可能な脳領域の活性化の少なくとも１つの尺度に関係して検査対象の陽電子放出断層撮影の結果を調整するように設計されている。計算および制御ユニットが、例えば閾値の入力または方法の制御のための例えばコンピュータキーボードの如き入力手段を持つとよい。更に、計算および制御ユニットが、調整された陽電子放出断層撮影の結果を出力するために、例えばコンピュータモニタの如き出力手段を持つとよい。
【００３４】
有利な実施形態では、検査対象の陽電子放出断層撮影を実施する装置が、上述の方法の１つを実施するように設計されている。
【００３５】
ここでも、特に計算および制御ユニットは、計算および制御ユニットのメモリに保存されて実行されるコンピュータプログラムによって、上述の方法の１つを実施するよう設計されている。検査対象の陽電子放出断層撮影を実施する装置は、上述の方法の１つを実施するように設計されている他の手段を持つとよい。例えば、検査対象の陽電子放出断層撮影を実施する装置は、望ましくない睡眠状態を検出した際に患者を目覚ませるためのランプを持つとよい。
【００３６】
陽電子放出断層撮影装置とＭＲＴ装置とが１つのＰＥＴ−ＭＲＴ複合装置内に組み込まれ、そのＰＥＴ−ＭＲＴ複合装置および計算および制御ユニットが、上述の本発明による方法を実施するように設計されていると格別に有利である。
【００３７】
陽電子放出断層撮影装置とＭＲＴ装置とを１つの装置内で組み合わせることによって、例えば両イメージング法において検査対象の位置が定められるという利点がもたらされ、それにより、場合によってはＭＲＴ画像と陽電子放出断層撮影画像とのレジストレーションが必要でなくなる。
【００３８】
以下に詳述する実施例は本発明の好ましい実施形態である。
【００３９】
他の有利な実施形態は説明と併せた以下の諸図からもたらされる。
【図面の簡単な説明】
【００４０】
【図１】図１は検査対象の陽電子放出断層撮影を実施するための本発明による方法を例示するフローチャートである。
【図２】図２はデフォルトモードネットワークおよびタスクポジティブネットワークの活動曲線を例示する曲線図である。
【図３】図３はＰＥＴトレーサ集積曲線を例示する曲線図である。
【図４】図４は検査対象の陽電子放出断層撮影を実施する装置を示す概略図である。
【発明を実施するための形態】
【００４１】
図１は検査対象の陽電子放出断層撮影を実施するための本発明による方法１のフローチャートを示す。方法１は方法ステップＳ１〜Ｓ３を含む。方法１はＳ１から始まり、方法ステップＳ３の後の「Ｅｎｄ」で終わる。個々の方法ステップは、次のとおりである。
Ｓ１）少なくとも１つの機能的磁気共鳴断層撮影を実施して、それぞれ少なくとも１つの設定可能な脳領域の活性化の少なくとも１つの尺度を決定する方法ステップ、
Ｓ２）陽電子放出断層撮影を実施する方法ステップ、
Ｓ３）少なくとも１つの設定可能な脳領域の活性化の少なくとも１つの尺度に関係して陽電子放出断層撮影の結果を調整する方法ステップ。
【００４２】
機能的磁気共鳴断層撮影による脳領域の活性化の少なくとも１つの尺度の決定、つまり方法ステップＳ１は、例えば使用者により設定された繰返し速度で繰り返し実行される。または方法ステップＳ１〜Ｓ３は設定された繰返し速度で繰り返し実行される。チェックすべき中断基準、例えばキーボードの操作が実行された際に、その繰り返しが中断される。
【００４３】
図２には、本発明の実施例を説明するためにデフォルトモードネットワークの活動曲線１０およびタスクポジティブネットワークの活動曲線１２が例示されている。うつ状態にある患者の場合には、ドーパミン作動系における受容体占有率が安静状態で測定されなければならない。このために、患者に時点１４で１８Ｆ−ＤＯＰＡがトレーサとして注射され、患者は直接にＭＲＴ装置の中へ送り込まれた。引き続いて、機能的磁気共鳴断層撮影により、ｆＭＲＴデータが安静状態で測定され、デフォルトモードネットワークが典型的なコヒーレントな活動を示すかどうかが検査され、またはタスクポジティブネットワークが活性であるかどうかが検査される。デフォルトモードネットワークの活動が優勢である時間２２、即ちデフォルトモードネットワークの活動曲線１０の活動値１６が上方の活動閾値１８を上回りかつタスクポジティブネットワークの活動曲線１２の活動値１６が上方の活動閾値１８を下回る時間が決定される。同様に、タスクポジティブネットワークの活動が優勢である時間２４、即ちデフォルトモードネットワーク活動曲線１０の活動値１６が下方の活動閾値２０を下回りかつタスクポジティブネットワーク活動曲線１２の活動値１６が下方の活動閾値２０を上回る時間が決定される。タスクポジティブネットワークの活動が優勢である場合には、例えば、データが使用不可であるという警報が出力される。その代替としては、後続の陽電子放出断層撮影の結果が零にセットされる。「混合状態」の活動分布、即ち両ネットワークの成分が存在する活動分布の場合には、陽電子放出断層撮影の結果が補正される。例えば、図２はデフォルトモードネットワークの活動とタスクポジティブネットワークの活動との間の約６０：４０という分布を示している。この場合に、陽電子放出断層撮影は次のように補正される。即ち、デフォルトモードネットワーク領域からの信号、例えば内側側頭葉、内側前頭前皮質、後部帯状皮質（posteriores Congulum）からの信号は相応に強められ、タスクポジティブネットワーク領域からの信号、例えば頭頂間溝からの信号はここでは活性化を望まないことから弱められる。
【００４４】
図３は、時間ｔに対する推移としてＰＥＴトレーサ集積曲線３０を例示する。時間ｔに対して集積３２は一様に起こるのではなく、一般にはむしろ限界値３４に近づく対数関数に似た飽和速度特性に相当するので、個々の段階における占有率をそれ相応に重み付けすることができる。そのために、例えば、事前検査で求められた検定曲線または較正曲線により、飽和速度特性が推定される。あるいは検査がＭＲ−ＰＥＴ複合装置において実施され、集積がＰＥＴ内で経時的に検出される。
【００４５】
図４に、ここでは人間の患者である検査対象１０２の陽電子放出断層撮影を実施する装置１００が概略的に示されている。検査対象は、ここでは患者用テーブルである寝台手段１０６の上に寝かせられており、検査範囲は脳領域１０４である。検査対象１０２の陽電子放出断層撮影を実施する装置１００は、ＰＥＴ−ＭＲＴ複合装置１１０内でＰＥＴ部分装置およびＭＲＴ部分装置として組み合わされている陽電子放出断層撮影装置およびＭＲＴ装置と、ここでは１つのコンピュータとしての計算および制御ユニット１２０とを含む。ＭＲＴ部分装置は、検査対象１０２へのＰＥＴトレーサの投与後に、少なくとも１つの機能的磁気共鳴断層撮影を実施し、それぞれ少なくとも１つの設定可能な脳領域１０４の活性化の少なくとも１つの尺度を決定してこの少なくとも１つの尺度を計算および制御ユニット１２０に提供するように構成されている。計算および制御ユニット１２０は、少なくとも１つの設定可能な脳領域１０４の活性化の少なくとも1つの尺度に関係して、検査対象１０２の陽電子放出断層撮影の結果を調整するように設計されている。計算および制御ユニット１２０は、ＰＥＴ部分装置およびＭＲＴ部分装置に対するデータインターフェースを装備しているので、データ線１２２を介してデータ、特に画像データを計算および制御ユニット１２０に導くことができる。更に、計算および制御ユニット１２０は、これらの機能を実行するコンピュータプログラムが使用可能であることによって、少なくとも１つの設定可能な脳領域１０４の活性化の少なくとも1つの尺度に関係して検査対象１０２の陽電子放出断層撮影の結果を調整するように設計されている。計算および制御ユニット１２０は、キー操作によって閾値の入力、方法の制御および／または方法の繰返し終了を行うための入力手段１２４、ここではコンピュータキーボードを有する。
【００４６】
装置１００および、特に計算および制御ユニット１２０は、既述の方法の１つを、例えば計算および制御ユニット１２０のメモリに保存されて実行されるコンピュータプログラムによって実行するように設計されている。更に、装置１００は、光信号を出力するための光学的な出力手段、ここではランプと、望ましくない睡眠状態を検出したとき患者の眠りを覚ますための音響信号を出力する音響出力手段１２８、ここではスピーカーとを有する。
【００４７】
出力手段１２６、ここではコンピュータモニタは、とりわけ少なくとも１つの設定可能な脳領域１０４の活性化の少なくとも１つの尺度に関係して調整された陽電子放出断層撮影の結果の出力に用いられる。
【００４８】
以上を要約して本発明の幾つかの基本的着想をもう一度説明する。通常の精神医学的または神経医学的なＭＲ−ＰＥＴ検査の場合には、トレーサ集積中の患者の状態変化を検出できる可能性、特に種々の神経伝達物質により作動する種々の神経回路網を識別できる可能性が不足している。従って、従来は、得られたＭＲ−ＰＥＴ検査結果を患者の検出された状態変化に関係して補正することもできない。本発明は、とりわけＰＥＴトレーサ注射とＰＥＴ測定との間に、設定可能な脳領域の活性化を機能的ＭＲＴの方法により測定するＭＲＴ測定を行うことを提案する。これらの測定結果は、トレーサの集積中には神経回路網の活性化が予想どおりであるかどうか検査される。これがそうでない場合には、相応の警報が使用者に対して出力され、またはデータが補正される。それによりもたらされる著しい利点は、例えば精神疾患または神経疾患の改善された診断を可能にするＰＥＴ検査の正確な結果にある。
【符号の説明】
【００４９】
１          本発明による方法
１０        デフォルトモードネットワーク活動曲線
１２        タスクポジティブネットワーク活動曲線
１４        トレーサ注射時点
１６        活動値
１８        上方の活動閾値
２０        下方の活動閾値
２２        デフォルトモードネットワークの活動が優勢である時間
２４        タスクポジティブネットワークの活動が優勢である時間
３０        集積曲線
３２        集積
３４        限界値
１００      装置
１０２      検査対象
１０４      脳領域
１０６      寝台手段
１１０      ＰＥＴ−ＭＲＴ複合装置
１２０      計算および制御ユニット
１２２      データ線
１２４      入力手段
１２６      出力手段
１２８      出力手段
１３０      出力手段
【図１】
2014142342.tif 000003
【図２】
2014142342.tif 000004
【図３】
2014142342.tif 000005
【図４】
2014142342.tif 000006